(57)【特許請求の範囲】
【請求項１】
入力画像データを設定されたフィルタ係数を持つ変調伝達関数を用いてフィルタ処理を行うための変調伝達関数フィルタによりフィルタ処理するとともに、倍率に応じて前記フィルタ係数を演算して設定する第１の演算手段を具備し、更に、前記第１の演算手段が、複数の倍率に関するフィルタ係数を記憶する記憶手段と、前記倍率に応じて前記記録手段に記憶された係数から所定のフィルタ係数を選択し、選択したフィルタ係数を補間してフィルタ係数を得る補間手段を具備する画像処理装置において、
前記補間手段が、縦横の倍率が異なる指定のときに、前記縦横の各倍率に応じて前記記憶手段に記憶されたフィルタ係数のうちから所定のフィルタ係数を選択し、選択したフィルタ係数を補間して縦横の各フィルタ係数を得た後、得られた縦倍率用フィルタ係数と横倍率用フィルタ係数とを補間してフィルタ係数を得るものであることを特徴とする画像処理装置。
【請求項２】
入力画像データを設定されたフィルタ係数を持つ変調伝達関数を用いてフィルタ処理を行うための変調伝達関数フィルタによりフィルタ処理するとともに、倍率に応じて前記フィルタ係数を演算して設定する第１の演算手段を具備する画像処理装置において、
更に、前記入力画像データを設定された分離係数で画像領域を分離する画像領域分離手段と、前記画像領域分離手段の分離結果に応じて前記変調伝達関数フィルタの種類を選択する選択手段と、倍率に応じて前記分離係数を演算して設定する第２の演算手段とを具備することを特徴とする画像処理装置。
【請求項３】
請求項２に記載の画像処理装置において、前記第２の演算手段が、複数の倍率に対応した分離係数を記憶する記憶手段と、前記倍率に応じて前記記録手段に記憶された分離係数のうちから所定の分離係数を選択し、選択した分離係数を補間して分離係数を得る補間手段を具備することを特徴とする画像処理装置。
【請求項４】
請求項３に記載の画像処理装置において、前記補間手段が、縦横の倍率が異なる指定のときに、前記縦横の各倍率に応じて前記記憶手段に記憶された分離係数のうちから所定の分離係数を選択し、選択した分離係数を補間して縦横の各分離係数を得た後、得られた縦倍率用分離係数と横倍率用分離係数とを補間して分離係数を得るものであることを特徴とする画像処理装置。
【請求項５】
入力された画像データに対して、所定の係数を用いて画像処理を施す画像処理装置において、少なくとも指定された倍率が、複数の倍率区分の境界近傍の値である場合に、前記画像処理に使用する係数を、当該指定倍率に応じて補正する係数補正手段を具備することを特徴とする画像処理装置。
【請求項６】
入力画像データを設定されたフィルタ係数を持つ変調伝達関数を用いてフィルタ処理を行うための変調伝達関数フィルタによりフィルタ処理するとともに、倍率に応じて前記フィルタ係数を演算して設定し、更に、前記倍率に応じて記憶手段に記憶された係数から所定のフィルタ係数を選択し、選択したフィルタ係数を補間してフィルタ係数を得る画像処理装置において、
縦横の倍率が異なる指定のときに、前記縦横の各倍率に応じて前記記憶手段に記憶されたフィルタ係数のうちから所定のフィルタ係数を選択するステップと、
選択したフィルタ係数を補間して縦横の各フィルタ係数を得た後、得られた縦倍率用フィルタ係数と横倍率用フィルタ係数とを補間してフィルタ係数を得るステップとを具備することを特徴とする画像処理方法。
【発明の詳細な説明】
【０００１】
【発明の属する技術分野】
この発明は、電子写真複写機やプリンター等の画像形成装置に使用される画像処理装置に関し、特に入力された画像データに対して拡大または縮小等の倍率を変更する変倍処理を施す機能を備えた画像処理装置に関するものである。
【０００２】
【従来の技術】
従来、この種の変倍処理機能を備えた画像処理装置としては、例えば、画像読取装置によってデジタル信号として読み取られた原稿の画像データに対し、画像データを補間あるいは間引いたりすることによって変倍処理を施すとともに、光学系による画質の劣化を補正するため、ＭＴＦ（Ｍｏｄｕｌａｒ  Ｔｒａｎｓｆｅｒ  Ｆｕｎｃｔｉｏｎ：変調伝達関数）フィルタ処理を施したり、文字と写真等のイメージとに画像領域を分離して強調や平滑化等の処理を施すように構成したものがある。
【０００３】
ところが、このような画像処理装置においては、図１６に示すように、縦方向や横方向の直線からなる原画に対して、１２０％拡大、１６０％拡大、縦１２０％拡大＋横１６０％拡大等の縦横の倍率が異なる偏倍処理を施すと、画像データを拡大する際に、画像データを補間したり、注目画素の周囲の白色画素等を考慮して、所定のフィルタ処理を施すため、１２０％拡大や１６０％拡大等の画像は、線幅が拡大倍率に応じて広がるばかりか、画像濃度が拡大倍率に応じて低下してしまい、変倍処理に伴って画像濃度が大幅に変化してしまい、画質が劣化するという問題点を有していた。
【０００４】
そこで、かかる偏倍処理機能を備えた画像処理装置において、上記の問題点を解決し得る技術としては、例えば、特開平２−２９０７２号公報や特開平３−８９６７７号公報等に開示されているものが既に提案されている。
【０００５】
この特開平２−２９０７２号公報に係る画像処理装置は、倍率の区分毎にフィルタ係数を持ち、倍率に応じて該当する区分のフィルタ係数をＭＴＦフィルタに設定し、入力画像データに対してフィルタ処理を施すことにより、変倍処理を施した際に画質が大幅に変化するのを防止するように構成したものである。更に詳しく説明すると、上記特開平２−２９０７２号公報に係る画像処理装置は、原稿画像を多数の微小画素領域に区分してその濃度を読取り、その濃度に応じた電気信号を出力する画像読取手段；原稿と前記画像読取手段とを相対的に走査駆動するとともに、指定された画像倍率に応じて、走査の速度を調整して、画像の副走査方向の、画像倍率を変更する副走査変倍手段；前記画像読取手段が出力するアナログ信号をデジタル信号に変換する変換手段；指定された画像倍率に応じて、前記変換手段が出力するデジタル信号の、画像の主走査方向の間引き／及び又は補間を行なって、画像倍率を変更する主走査変倍手段；前記副走査変倍手段及び主走査変倍手段によって画像倍率が調整されたデジタル画像信号を処理し、該信号の複数画素領域の情報に基づいて、その画素領域の一部の画像の情報を補正する空間フィルタ手段；及び前記画像倍率の指定変更に応じて、前記空間フィルタ手段の、画像の主走査方向及び副走査方向に対する補正レベルを調整するパラメータを更新する、補正係数変更手段；を備えるように構成したものである。
【０００６】
一方、上記特開平３−８９６７７号公報に係る画像処理装置は、同様に、倍率に応じて該当する区分のフィルタ係数を画像分離器に設定し、入力画像データを文字とイメージとに分離することにより、変倍処理を施した際に画質が大幅に変化するのを防止するように構成したものである。更に詳しく説明すると、この特開平３−８９６７７号公報に係る画像処理装置は、入力画像を所定の倍率で変倍処理する変倍手段、前記入力画像の種類を判定する判定手段、前記判定手段による判定基準を前記変倍手段の倍率に応じて変更する手段とを有するように構成したものである。
【０００７】
【発明が解決しようとする課題】
しかしながら、上記従来技術の場合には、次のような問題点を有している。すなわち、上記特開平２−２９０７２号公報や特開平３−８９６７７号公報等に係る画像処理装置の場合には、倍率に応じて該当する区分のフィルタ係数または画像領域分離係数を用意し、倍率の区分に応じて異なるフィルタ係数や画像領域分離係数を使用するように構成したものである。そのため、上記提案に係る画像処理装置の場合には、ある倍率から微小に指定倍率を変更したときに、その前後の指定倍率が異なる区分に属すると、フィルタ係数や画像領域分離係数が大きく変化してしまう。したがって、倍率を微小に変更した場合に、フィルタ係数や画像領域分離係数が大きく変化してしまい、画像データに施されるフィルタ処理が変化したり、文字とイメージに分離される画像領域が変化するため、変倍処理される画像の画質が急激に変化し、画質が低下するという問題点を有していた。
【０００８】
また、上記特開平２−２９０７２号公報や特開平３−８９６７７号公報等に係る画像処理装置の場合には、入力された画像データに対して、縦方向と横方向で異なる倍率に拡大したり縮小する機能を備えていない。そのため、上記提案に係る画像処理装置の場合には、縦横偏倍処理に対応することができないのは勿論のこと、縦横偏倍処理を施した際に、偏倍処理される画像の画質が急激に変化し、画質が低下するという問題点を同様に有していた。
【０００９】
そこで、この発明は、上記従来技術の問題点を解決するためになされたものであり、その目的とするところは、入力された画像データに対して変倍処理を施す機能を備えた画像処理装置において、倍率を変化させた場合に、急激に画質が変化するのを防止することが可能な画像処理装置を提供することにある。
【００１０】
また、この発明の他の目的とするところは、縦方向と横方向とで倍率を異ならせた偏倍処理が可能な画像処理装置においても、倍率を変化させた場合に、急激に画質が変化するのを防止することが可能な画像処理装置を提供することにある。
【００１１】
【課題を解決するための手段】
上記の課題を解決するために、請求項１に記載の発明は、入力画像データを設定されたフィルタ係数を持つ変調伝達関数フィルタによりフィルタ処理する画像処理装置において、倍率に応じて前記フィルタ係数を演算して設定する第１の演算手段を具備するものである。
【００１２】
かかる請求項１に記載の発明によれば、前記第１の演算手段によって倍率に応じてフィルタ係数を演算することにより、倍率を変更した場合に、使用するフィルタ係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができる。
また、請求項１に記載の発明は、上記画像処理装置において、前記第１の演算手段が、複数の倍率に関するフィルタ係数を記憶する記憶手段と、前記倍率に応じて前記記録手段に記憶された係数から所定のフィルタ係数を選択し、選択したフィルタ係数を補間してフィルタ係数を得る補間手段を具備するものである。
【００１３】
かかる請求項１に記載の発明によれば、第１の演算手段の補間手段が、倍率に応じて前記記録手段に記憶されたフィルタ係数から所定のフィルタ係数を選択し、選択したフィルタ係数を用いて補間してフィルタ係数を得る。そのため、記憶手段に記憶された複数の倍率が指定された場合には、記憶手段に記憶された当該倍率に対応したフィルタ係数をそのまま使用し、記憶手段に記憶された複数の倍率と異なる倍率が指定された場合には、前記指定された倍率に応じて前記記録手段に記憶されたフィルタ係数のうちから所定のフィルタ係数を選択し、選択したフィルタ係数を用いて補間手段によって補間することにより、フィルタ係数を補正することができる。したがって、記憶手段に記憶する複数の倍率とこれに対応したフィルタ係数を多く設定した場合には、記憶手段を参照するだけで、ほとんどの場合、フィルタ係数を直ちに補正するとができ、フィルタ係数の補正を短時間に行うことができる。一方、記憶手段に記憶する複数の倍率とこれに対応したフィルタ係数を少なく設定した場合には、指定された倍率に応じて記録手段に記憶されたフィルタ係数のうちから所定の係数を選択し、選択したフィルタ係数を用いて補間手段によって補間することにより、フィルタ係数を補正することができ、記憶手段の容量を少なくすることが可能となる。
【００１４】
更に、請求項１に記載の発明は、上記画像処理装置において、前記補間手段が、縦横の倍率が異なる指定の時に、前記縦横の各倍率に応じて前記記憶手段に記憶されたフィルタ係数のうちから所定のフィルタ係数を選択し、選択したフィルタ係数を補間して縦横の各フィルタ係数を得た後、得られた縦倍率用フィルタ係数と横倍率用フィルタ係数とを補間してフィルタ係数を得るものである。
【００１５】
かかる請求項１に記載の発明によれば、縦横で異なる倍率が指定されたときに、前記縦横の各倍率に応じて記憶手段に記憶されたフィルタ係数のうちから所定のフィルタ係数を選択し、選択したフィルタ係数を用いて補間することにより縦横の各フィルタ係数を得た後、得られた縦倍率用フィルタ係数と横倍率用フィルタ係数とを補間手段によって補間してフィルタ係数を得ることができるため、縦方向と横方向とで倍率を異ならせた偏倍処理が可能な画像処理装置においても、倍率を変化させた場合に、急激に画質が変化するのを防止することが可能となる。
【００１６】
請求項２に記載の発明は、請求項１に記載の画像処理装置において、更に、前記入力画像データを設定された分離係数で画像領域を分離する画像領域分離手段と、前記画像領域分離手段の分離結果に応じて前記変調伝達関数フィルタの種類を選択する選択手段と、倍率に応じて前記分離係数を演算して設定する第２の演算手段とを具備するものである。
【００１７】
かかる請求項２に記載の発明によれば、画像領域分離手段によって、入力された画像データを設定された分離係数で画像領域を分離するとともに、選択手段によって、前記画像領域分離手段の分離結果に応じて変調伝達関数フィルタの種類を選択する際に、この画像領域分離処理の選択処理を行う際に使用する分離係数を、第２の演算手段によって求めることができ、画像領域分離処理の選択処理を行って、高画質化を図った場合でも、倍率を変化させた場合に、分離係数を第２の演算手段によって演算することにより、倍率に適合した画像領域の分離を行うことができ、変倍によって分離される画像領域が、例えば文字領域側あるいはイメージ領域側に不本意に変動することがないので、急激に画質が変化するのを防止することが可能となる。
また、かかる請求項２に記載の発明によれば、請求項１に記載の発明と同様に、前記第１の演算手段によって倍率に応じてフィルタ係数を演算することにより、倍率を変更した場合に、使用するフィルタ係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができ、請求項１項の特徴と相まって一層良好な画質の画像を得ることができる。
【００１８】
請求項３に記載の発明は、請求項２に記載の画像処理装置において、前記第２の演算手段が、複数の倍率に対応した分離係数を記憶する記憶手段と、前記倍率に応じて前記記録手段に記憶された分離係数のうちから所定の分離係数を選択し、選択した分離係数を補間して分離係数を得る補間手段を具備するものである。
【００１９】
かかる請求項３に記載の発明によれば、請求項２に記載の発明において得られる作用と同様の作用が得られることは勿論のこと、前記第２の演算手段が、複数の倍率に対応した分離係数を記憶する記憶手段と、前記倍率に応じて前記記録手段に記憶された分離係数のうちから所定の係数を選択し、選択した分離係数を補間して分離係数を得るものであるため、記憶手段に記憶された複数の倍率が指定された場合には、記憶手段に記憶された当該倍率に対応した分離係数をそのまま使用し、記憶手段に記憶された複数の倍率と異なる倍率が指定された場合には、前記指定された倍率に応じて前記記録手段に記憶された分離係数のうちから所定の分離係数を選択し、選択した分離係数を用いて補間手段によって補間することにより、分離係数を補正することができる。したがって、記憶手段に記憶する複数の倍率とこれに対応した分離係数を多く設定した場合には、記憶手段を参照するだけで、ほとんどの場合、分離係数を直ちに補正するとができ、分離係数の補正を短時間に行うことができる。一方、記憶手段に記憶する複数の倍率とこれに対応した分離係数を少なく設定した場合には、指定された倍率に応じて記録手段に記憶された分離係数のうちから所定の分離係数を選択し、選択した分離係数を用いて補間手段によって補間することにより、分離係数を補正することができ、記憶手段の容量を少なくすることが可能となる。
【００２０】
請求項４に記載の発明は、請求項３に記載の画像処理装置において、前記補間手段が、縦横の倍率が異なる指定の時に、前記縦横の各倍率に応じて前記記憶手段に記憶された分離係数のうちから所定の分離係数を選択し、選択した分離係数を補間して縦横の各分離係数を得た後、得られた縦倍率用分離係数と横倍率用分離係数とを補間して分離係数を得るものである。
【００２１】
かかる請求項４に記載の発明によれば、請求項３に記載の発明において得られる作用と同様の作用が得られる上に、請求項１に記載の発明と同様に、縦方向と横方向とで倍率を異ならせた偏倍処理が可能な画像処理装置においても、倍率を変化させた場合に、急激に画質が変化するのを防止することが可能となる。
また、請求項５に記載の発明は、入力された画像データに対して、所定の係数を用いて画像処理を施す画像処理装置において、少なくとも指定された倍率が、複数の倍率区分の境界近傍の値である場合に、前記画像処理に使用する係数を、当該指定倍率に応じて補正する係数補正手段を具備するように構成したものである。
【００２２】
かかる請求項５に記載の発明によれば、少なくとも指定された倍率が、複数の倍率区分の境界近傍の値である場合に、前記画像処理に使用する係数を、当該指定倍率に応じて係数補正手段によって補正することにより、倍率を微小に変更した場合に、その前後の指定倍率が異なる区分に属する場合であっても、使用する係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができる。
また、請求項６に記載された発明は、入力画像データを設定されたフィルタ係数を持つ変調伝達関数を用いてフィルタ処理を行うための変調伝達関数フィルタによりフィルタ処理するとともに、倍率に応じて前記フィルタ係数を演算して設定し、更に、前記倍率に応じて記憶手段に記憶された係数から所定のフィルタ係数を選択し、選択したフィルタ係数を補間してフィルタ係数を得る画像処理装置において、縦横の倍率が異なる指定のときに、前記縦横の各倍率に応じて前記記憶手段に記憶されたフィルタ係数のうちから所定のフィルタ係数を選択するステップと、選択したフィルタ係数を補間して縦横の各フィルタ係数を得た後、得られた縦倍率用フィルタ係数と横倍率用フィルタ係数とを補間してフィルタ係数を得るステップとを具備することを特徴とする画像処理方法である。
【００２３】
【発明の実施の形態】
以下にこの発明を図示の実施の形態に基づいて説明する。
【００２４】
参考実施の形態１
図２はこの発明に係る画像処理装置の参考実施の形態１を適用した白黒のディジタル複写機を示す構成図である。
【００２５】
このデジタル複写機は、図２に示すように、大別して、内部に画像出力装置（Ｉｍａｇｅ  Ｏｕｔｐｕｔ  Ｔｅｒｍｉｎａｌ）を備えた複写機本体１と、この複写機本体１の上部に配置された画像入力装置（Ｉｍａｇｅ  Ｉｎｐｕｔ  Ｔｅｒｍｉｎａｌ）２と、この画像入力装置２の上部に配置された自動原稿送り装置３と、複写機本体１の内部に配置され、画像入力装置２によって読み取られた原稿の画像データに対して、所定の画像処理を施す画像処理装置（Ｉｍａｇｅ  Ｐｒｏｃｅｓｓｉｎｇ  Ｓｙｓｔｅｍ）６０とから構成されている。上記自動原稿送り装置３は、当該自動原稿送り装置３の所定の位置にセットされた原稿を、その表裏を裏返して自動的に画像入力装置２のプラテンガラス６上まで搬送することが可能となっている。
【００２６】
上記デジタル複写機本体１内の上部には、上述したように、原稿４の画像を読み取る画像入力装置２が配置されているとともに、この画像入力装置２は、原稿４を所定の基準位置に載置した状態で、当該原稿２の画像を読み取るための第１のプラテンガラス５と、第１のプラテンガラス５の一端側に配置され、原稿４を一定の速度で搬送しながら読み取るためのスリット状の第２のプラテンガラス６とを備えている。また、画像入力装置２は、第１のプラテンガラス５上に載置された原稿４、あるいは、第２のプラテンガラス６上を等速で送られる原稿４の画像を読み取るため、原稿４を照明する照明ランプ７と、この照明ランプ７によって照明された原稿４の反射光像を反射するフルレートミラー８と、このフルレートミラー８からの光像を折り返すように反射する２枚のハーフレートミラー９、１０と、これらのハーフレートミラー９、１０によって反射された原稿４の光像を、画像読み取り素子としてのＣＣＤ（Ｃｈａｒｇｅ  Ｃｏｕｐｌｅｄ  Ｄｅｖｉｃｅ）１２上に縮小した状態で結像する結像レンズ１１と、この結像レンズ１１によって結像された原稿４の画像を読み取るＣＣＤ１２とからなる露光光学系１３を備えている。上記露光光学系１３を構成する部材のうち、照明ランプ７とフルレートミラー８は、図示しない第１のキャリッジに取り付けられているとともに、２枚のハーフレートミラー９、１０は、図示しない第２のキャリッジに取り付けられており、これらの照明ランプ７及びフルレートミラー８が取り付けられた第１のキャリッジと、２枚のハーフレートミラー９、１０が取り付けられた第２のキャリッジは、画像露光方式に応じて、矢印方向に沿って１：１／２の速度比で移動するか、又は図２に示す位置に停止して、原稿４の画像を走査露光するようになっている。
【００２７】
そして、画像入力装置２によって第２のプラテンガラス６上を一定の等速で送られる原稿４の画像を読み取る際には、図２に示すように、フルレートミラー８が第２のプラテンガラス６直下の画像読み取り位置１４に来るように、露光光学系１３全体が所定の位置に停止した状態で、ＣＣＤ１２によって原稿４の画像を読み取るようになっている。また、上記画像入力装置２によって、第１のプラテンガラス５上に載置された原稿４の画像を読み取る際には、照明ランプ７及びフルレートミラー８とハーフレートミラー９、１０とが、原稿４の下面に沿って１：１／２の速度比で移動することにより、ＣＣＤ１２によって原稿４の画像を読み取るようになっている。
【００２８】
上記デジタル複写機では、原稿搬送型露光方式で原稿４の画像を読み取る場合、図２に示すように、後述する自動原稿送り装置３によって一定の速度で画像読み取り位置１４に搬送される原稿４の画像情報が、画像入力装置２によって読み取られる。この画像入力装置２によって読み取られた原稿４の画像データは、後述するように、画像処理装置６０によって所定の画像処理が施された後、デジタル複写機本体１の内部に配置された画像出力装置によって転写用紙上に複写される。
【００２９】
すなわち、上記画像入力装置２によって読み取られた原稿４の画像データは、必要に応じて図示しない一時記憶装置に記憶されるとともに、後述する画像処理装置６０によって所定の画像処理が施された後、画像出力装置に出力される。この画像出力装置では、画像処理が施された画像データに応じてＲＯＳ１５（Ｒａｓｔｅｒ  Ｏｕｔｐｕｔ  Ｓｃａｎｎｅｒ）を動作させ、このＲＯＳ１５によって感光体ドラム１６上に画像データに応じた画像露光が施され、静電潜像が形成される。この感光体ドラム１６上に形成された静電潜像は、現像装置１７により現像されてトナー像となった後、このトナー像は、転写帯電器１８によって転写用紙１９上に転写される。この転写用紙１９は、デジタル複写機本体１内の下部に収容された複数の用紙トレイ２０、２１、２２、２３から、所定のサイズの用紙が給紙されるとともに、フィードセンサー２４、２５、２６、２７によって検知された後、複数配置された搬送ロール２８によって感光体ドラム１６手前のレジストロール２９まで一旦搬送されて停止し、このレジストロール２９によって感光体ドラム１６上に形成されたトナー像と同期して、感光体ドラム１６の表面へと搬送されるようになっている。
【００３０】
感光体ドラム１６からトナー像が転写された転写用紙１９は、分離帯電器３０によって感光体ドラム１６から分離された後、搬送ベルト３１によって定着装置３２へと搬送され、定着装置３２で熱及び圧力によってトナー像が転写用紙１９上に定着されて、装置の外部に配置された排出トレイ３３上に排出され、画像の複写工程を終了する。
【００３１】
なお、トナー像の転写工程が終了した感光体ドラム１６の表面は、クリーニング装置３４によって残留トナーや紙粉等が除去されて、次の複写工程に備えるようになっている。
【００３２】
また、上記デジタル複写機で両面複写を行う場合には、片面に画像が複写された転写用紙１９をそのまま排出トレイ３３に排出せずに、搬送経路を切り換えて用紙反転経路３５へと一旦搬送して、転写用紙１９の表裏を反転した状態で搬送路３６を介して、感光体ドラム１６下部の転写位置へと再度搬送することにより、転写用紙１９の裏面に画像を複写した後に、転写用紙１９を排出トレイ３３上に排出するようになっている。
【００３３】
更に、上記デジタル複写機に装着された自動原稿送り装置３は、図３に示すように、複写すべき複数枚の原稿４を複写面を上にした状態（所謂フェイスアップ）でセットする原稿セットトレイ４０を備えており、この原稿セットトレイ４０上にセットされた複数枚の原稿４は、ナジャーロール４１によって最上位の原稿４から１ｔｏＮの順序でピックアップされて、フィードロール４２及びリタードパッド４３へと送られる。なお、上記フィードロール４２の後端には、原稿４のフィード状態を検知する原稿フィードセンサー４４が配置されているが、他にも同じく小さな黒く塗りつぶされた三角印で表される原稿検知センサーが所定の位置に配置されている。そして、上記原稿４は、これらのフィードロール４２及びリタードパッド４３によって一枚ずつに裁かれ、略円弧状に形成された上流側搬送経路４５に沿って、途中に設けられたテイクアウェイロール４６及びレジセンサー４７を介してプリレジロール４８へと搬送され、このプリレジロール４８で一旦停止される。その後、上記原稿４は、プリレジロール４８によって所定のタイミングで第２のプラテンガラス６上の画像読み取り位置１４へと一定の速度で搬送される。この第２のプラテンガラス６上の画像読み取り位置１４へと一定の速度で搬送された原稿４の画像は、第２のプラテンガラス６上をプラテンロール４９によって一定の速度で搬送される間に、図３に示す位置に停止したスキャナーユニット２の露光光学系１３を介してＣＣＤ１２によって読み取られる。
【００３４】
その後、第２のプラテンガラス６上の画像読み取り位置１４で画像が読み取られた原稿４は、図３に示すように、略円弧状に形成された下流側搬送経路５０の前端部５０ａに沿って、３つのロールが互いに圧接するアウトロール５１により、第１の分岐部分５２を通過して、下流側搬送経路５０の後端部５０ｂに配置された排出ロール５３によって、原稿セットトレイ４０の下部に設けられた原稿排出トレイ５４上に排出される。
【００３５】
また、自動原稿送り装置３で原稿４の両面送りを行う場合には、図３に示すように、片面の画像が読み取られた原稿４を、排出ロール５３によって原稿排出トレイ５４上にそのまま排出せずに、原稿４の後端が排出ロール５３によって挟持されている間に、当該排出ロール５３を反転させて、原稿４を下流側搬送経路５０の後端部５０ｂ及び第１の分岐部分５２を介して、今度は原稿４が３つのロールが互いに圧接するアウトロール５１の上側のロール間を通過するように搬送し、両面用搬送経路５５を通って上流側搬送経路４５へと再度搬送し、原稿４の裏面側が第２のプラテンガラス６上の画像読み取り位置１４へと搬送され、露光光学系１３を介してＣＣＤ１２によって画像が読み取られる。その後、表裏表面の画像が読み取られた原稿４は、プラテンロール４９及びアウトロール５１を介して、排出ロール５３によって原稿排出トレイ５４上にそのまま排出せずに、原稿４の後端が排出ロール５３によって挟持されている間に、当該排出ロール５３を反転させて、原稿４を表裏反転した状態で搬送する図示しない切替手段を介して、今度はＵターン搬送経路５６を通って排出ロール５７により原稿排出トレイ５４上に、原稿４の表面を下にした状態で排出される。尚、図３中、５８は第１のプラテンガラス５上に載置された原稿４を押圧するスポンジ等の弾性部材を積層した表面が白色のシート材からなる原稿押圧部材を示している。
【００３６】
ところで、この参考実施の形態１に係る画像処理装置は、少なくとも指定された倍率が、複数の倍率区分の境界近傍の値である場合に、前記画像処理に使用する係数を、当該指定倍率に応じて補正する係数補正手段を具備するように構成されている。
【００３７】
また、この参考実施の形態１に係る画像処理装置は、前記係数補正手段が、複数の倍率に対応した係数を記憶する記憶手段と、前記指定された倍率に応じて前記記録手段に記憶された係数のうちから所定の係数を選択し、選択した係数を用いて補間することにより、係数を補正する補間手段を具備するように構成されている。
【００３８】
すなわち、この参考実施の形態１に係る画像処理装置６０には、図４に示すように、画像入力装置２のＣＣＤ１２によって読み取られ、Ａ／Ｄ変換器１２ａによってデジタル信号に変換された白黒原稿４の画像データが入力される。この画像入力装置２から出力される画像データは、第１の濃度補正（γ補正）処理回路６１によって濃度補正が施された後、拡大／縮小処理回路６２によって図示しないユーザーインターフェイスで指定された倍率に応じて、拡大／縮小処理が施される。上記拡大／縮小処理回路６２で拡大／縮小処理が施された画像データは、フィルタリング処理回路６３によってＭＴＦフィルタリング処理が施されるとともに、第２の濃度補正（γ補正）処理回路６４によって濃度補正が施される。その後、この濃度補正が施された画像データは、スクリーニング処理回路６５によって万線スクリーンや網点等のスクリーニング処理が施される。そして、上記スクリーニング処理回路６５によってスクリーニング処理が施された画像データは、画像出力装置に出力され、当該画像出力装置によって画像出力動作が行われる。
【００３９】
その際、上記画像処理装置６０では、図４に示すように、拡大／縮小処理回路６２によって拡大／縮小処理が施された画像データに基づいて、像域分離処理回路６６によって文字と写真等のイメージとに画像領域が分離され、この像域分離処理回路６６からは、文字とイメージの像域分離処理信号が、フィルタリング処理回路６３と、第２の濃度補正（γ補正）処理回路６４と、スクリーニング処理回路６５と、画像出力装置に出力される。
【００４０】
図１（ａ）（ｂ）（ｃ）はこの参考実施の形態１に係る画像処理装置のフィルタリング処理回路をそれぞれ示すブロック図である。
【００４１】
このフィルタリング処理回路６３は、画像データに対してＭＴＦフィルタリング処理を施すフィルタ処理部６７を備えており、このフィルタ処理部６７には、係数補正手段としての係数算出部６８から図示しないユーザーインターフェイスで指定された倍率に応じて、補正された算出係数ｃが入力されるようになっている。上記係数算出部６８は、図５に示すように、例えば、５０％、１００％、１５０％、２００％の４つの固定倍率に対応して、これらの倍率に応じて画像データに最低なＭＴＦフィルタリング処理を施すための係数ａ１、ａ２、ａ３、ａ４を記憶した記憶手段としてのテーブルを用意してある（ステップ１）。そして、この係数算出部６８では、デジタル複写機のユーザーインターフェイスで指定された倍率に対し、図５に示す表１を参照して、対応する倍率値を選択する。いま、指定倍率が１２０％の場合には、指定倍率に最も近く且つ指定倍率と比較し大きい固定倍率である１５０％と、指定倍率に最も近く且つ指定倍率と比較し小さい固定倍率である１００％との計２個の固定倍率が選択される（ステップ２）。次に、上記の如く選択された１００％と１５０％の２つの倍率値に対応する係数が、以下の如く選択される（ステップ３）。
１００％＝ａ２
１５０％＝ａ３
その後、上記のように選択された２個の係数から、次のようにして補間値ｃが演算される（ステップ４）。
0003692779.tif 000002
なお、上記係数の補正を行う方法は、上記のような内挿に限らず、外挿、あるいは係数ａ２、ａ３に重み付けしたり、非線型補間等によるものであってもよい。
すなわち、係数の補正を関数等の変換式から指定倍率値を用いて、記憶された係数によらずに直接係数ｃを求めるように構成しても良い。
例えば、変換式が３次関数である場合を次に示す。
係数ｃはｒを指定倍率値とすると、３次関数ｆにより求めることができる。
ｃ＝ｆ（ｒ）＝ａ3 ｒ3 ＋ａ2 ｒ2 ＋ａ1 ｒ＋ａ0 
但し、ｆ（ｒ）はｒの３次関数、ａi （ｉ＝１，２，３）は指定した定数である。
いま、ａ3 ＝５．５９×１０-6ａ2 ＝１．８６×１０-3、ａ1 ＝１．７８×１０-1、ａ0 ＝４．７２と指定すると、図１７のような特性の３次関数を得ることができる。このように、指定倍率値から前記関数を用いて直接係数ｃを求めることが可能である。
さらに、上記係数算出部６８では、上記の如く求めた補間値ｃを算出補間値として、フィルタ処理部６７に出力する（ステップ５）。
【００４２】
上記フィルタ処理部６７では、図１（ｂ）に示すように、拡大／縮小処理回路６２によって拡大／縮小処理が施された画像データに対して、３×３のマトリクスを用いて、強調処理を施すフィルタ６７ａを用いた処理と、平滑化処理を施すフィルタ６７ｂを用いた処理が行われる。これらの強調処理や平滑化処理を施す３×３のマトリクスは、前述したように、係数算出部６８で算出された補正係数ｃに応じて、補正係数ｃが大きくなると強調処理も大きくなり、補正係数ｃが小さくなるとよりスムーズになるように設定されている。なお、図１（ｂ）では、強調処理を施すフィルタ６７ａと、平滑化処理を施すフィルタ６７ｂとで、同じ補正係数ｃを用いているが、この補正係数ｃは、同じである必要はなく、強調処理を施すフィルタ６７ａ用の補正係数ｃと、平滑化処理を施すフィルタ６７ｂ用の補正係数ｃとで異なる値を用いても勿論よい。
【００４３】
また、この参考実施の形態１では、図１（ｃ）に示すように、フィルタ処理部６７においてフィルタ処理が施された画像データに対して、係数算出部６８の算出係数ｃに応じ、強調度調整を施すように構成しても良い。上記フィルタ処理部６７においてフィルタ処理が施された画像データは、減算器６９によってフィルタリング処理を行う前の画像データから減算され、この減算器６９の減算結果に対して、係数算出部６８算出された算出係数ｃが乗算器７０によって乗算される。そして、この算出係数を乗算後の値が加算器７１によって、フィルタリング処理後の画像データに加算され、フィルタ処理後の画像データに対して強調度の調整が行われるようになっている。
【００４４】
以上の構成において、この参考実施の形態１に係る画像処理装置は、次のようにして、入力された画像データに対して変倍処理を施す機能を備えた画像処理装置において、倍率を変化させた場合に、急激に画質が変化するのを防止することが可能となっている。
【００４５】
すなわち、この参考実施の形態１に係る画像処理装置６０は、図４に示すように、画像入力装置２のＣＣＤ１２によって読み取られ、Ａ／Ｄ変換器１２ａによってデジタル信号に変換された原稿４の画像データが入力される。この画像入力装置２から出力された画像データは、第１の濃度補正（γ補正）処理回路６１によって濃度補正が施された後、拡大／縮小処理回路６２によって図示しないユーザーインターフェイスで指定された倍率に応じて、拡大／縮小処理が施される。上記拡大／縮小処理回路６２で拡大／縮小処理が施された画像データは、フィルタリング処理回路６３によってＭＴＦフィルタリング処理が施される。
【００４６】
その際、上記フィルタリング処理回路６３では、図１（ａ）に示すように、係数算出部６８に図示しないユーザーインターフェイスで指定された倍率が入力される。この係数算出部６８では、図６に示すように、デジタル複写機のユーザーインターフェイスで指定された倍率に対し、図５に示す表１を参照して、対応する倍率値を選択する（ステップ２）。いま、指定倍率が１２０％の場合には、その両側の１００％と１５０％の倍率が選択される。次に、上記の如く選択された１００％と１５０％の２つの倍率値に対応する係数が、以下の如く選択される（ステップ３）。
１００％＝ａ２
１５０％＝ａ３
その後、上記のように選択された２個の係数から、次のようにして補間値ｃが算出される（ステップ４）。
ｃ＝（３×ａ２＋２×ａ３）／５
さらに、上記係数算出部６８では、上記の如く求めた補間値ｃを算出補間値として、フィルタ処理部６７に出力する（ステップ５）。
【００４７】
上記フィルタ処理部６７では、図１（ａ）（ｂ）に示すように、拡大／縮小処理回路６２によって拡大／縮小処理が施された画像データに対して、３×３のマトリクスを用いて、強調処理を施すフィルタ６７ａによる処理と、平滑化処理を施すフィルタ６７ｂによる処理とが行われる。これらの強調処理や平滑化処理を施す３×３のマトリクスは、前述したように、係数算出部６８で算出された補正係数ｃに応じて、補正係数ｃが大きくなると強調処理も大きくなり、補正係数ｃが小さくなるとよりスムーズになるように設定されている。
【００４８】
また、この参考実施の形態１では、図１（ｃ）に示すように、フィルタ処理部６７においてフィルタ処理が施された画像データに対して、減算器６９でフィルタリング処理を行う前の画像データとの減算が行われ、この減算器６９の減算結果に対して、係数算出部６７で算出された算出係数が乗算器７０によって乗算される。そして、この算出係数を乗算後の値が加算器７１によって、フィルタリング処理後の画像データに加算され、フィルタ処理後の画像データに対して強調度の調整が行われるようになっている。
【００４９】
このように、上記参考実施の形態１に係る画像処理装置６０では、デジタル複写機のユーザーインターフェイスで指定された倍率に対して、図５の表１に示すように、テーブルを参照し、指定された倍率に対してその両側の固定倍率値を選択する。次に、この選択された２つの固定倍率値に対応した係数に基づいて、係数算出部６８によって指定された倍率に対応した係数を、補間演算によって求める。そして、この補間された係数に基づいて、フィルタ処理部６７によってフィルタ処理を施すように構成されている。そのため、デジタル複写機のユーザーインターフェイスによって、指定倍率を微小に変更し、その前後の指定倍率が異なる区分に属する場合であっても、フィルタ処理部６７で使用する係数を、係数算出部６８で補間演算によって求め、これを使用するように構成されているため、指定倍率を微小に変更してその前後の指定倍率が異なる区分に属する場合であっても、係数を指定倍率に適応して、しかもフィルタ処理が良好に行える値に連続的に設定することができる。したがって、入力された画像データに対して変倍処理を施す機能を備えた画像処理装置６０において、倍率を変更した場合に、その前後の指定倍率が異なる区分に属する場合であっても、使用する係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができる。
【００５０】
その結果、このような画像処理装置６０においては、図７に示すように、例えば、縦方向や横方向の直線からなる原画に対して、１２０％拡大、１６０％拡大等の変倍処理を施す際に、画像データを拡大する際に、画像データを補間したり、注目画素の周囲の白色画素等を考慮して、所定のフィルタ処理を施しても、１２０％拡大や１６０％拡大等の画像は、線幅が拡大倍率に応じて広がっても、画像濃度が原画と同等になり、変倍処理に伴って画像濃度が変化せず、画質が劣化するのを防止して、常に良好な画質の画像を得ることができる。
【００５１】
実施の形態１
図８はこの発明の実施の形態１を示すものであり、前記参考実施の形態１と同一の部分には同一の符号を付して説明すると、この実施の形態１は、入力された画像データを設定された分離係数で画像領域を分離する画像領域分離手段と、前記画像領域分離手段の分離結果に応じてＭＴＦフィルタの種類を選択する選択手段とを備え、前記係数補正手段によって補正された係数を用いて、前記画像領域分離手段による画像領域分離処理、及び前記選択手段によるＭＴＦフィルタの選択処理を行うように構成されている。
【００５２】
また、この実施の形態１は、前記係数補正手段が、複数の倍率に対応した係数を記憶する記憶手段と、前記指定された倍率に応じて前記記録手段に記憶された係数のうちから所定の係数を選択し、選択した係数を用いて補間することにより、画像領域分離処理及びＭＴＦフィルタの選択処理を行う際の係数を補正する補間手段を具備するように構成されている。
【００５３】
すなわち、この実施の形態１に係る画像処理装置６０では、拡大／縮小処理回路６２によって図示しないユーザーインターフェイスで指定された倍率に応じて、拡大／縮小処理が施される。その後、上記拡大／縮小処理回路６２で拡大／縮小処理が施された画像データに基づいて、図８（ａ）に示すように、像域分離処理回路７２によって文字と写真等のイメージとに画像領域が分離される。
【００５４】
この像域分離処理回路７２には、図８（ａ）に示すように、拡大／縮小処理回路６２によって拡大／縮小処理が施された画像データが入力されるとともに、係数算出部６８で算出された算出係数ｃが入力される。そして、上記像域分離処理回路７２では、画像データと算出係数に基づいて、文字と写真等のイメージとの画像領域を分離するための分離タグが生成され、この分離タグは、画像データの領域に応じた適用処理を施す適応処理部７３に出力される。
【００５５】
上記像域分離処理回路７２は、図８（ｂ）に示すように、画像データがそれぞれ入力されるラプラシアンフィルタ７４と一次微分フィルタ７５とを備えており、これらのラプラシアンフィルタ７４と一次微分フィルタ７５では、画像データに対して、ラプラシアンフィルタ処理と、一次微分フィルタ処理とが施される。上記ラプラシアンフィルタ７４と一次微分フィルタ７５によって、ラプラシアンフィルタ処理と一次微分フィルタ処理が施された画像データは、それぞれ対応する比較器７６、７７に入力され、係数算出部６８で算出されたラプラシアンフィルタ用と一次微分フィルタ用の各算出係数ｃ４、ｃ５と比較される。その際、上記係数算出部６８では、ラプラシアンフィルタ処理用と一次微分フィルタ処理用の２つの算出係数ｃ４、ｃ５を、前記実施の形態１と同様の方法にて補間して算出するようになっている。また、上記比較器７６、７７では、２つの算出係数ｃ４、ｃ５の値が大きくなると画像のエッジをひろわないようになっている。上記２つの比較器７６、７７による比較結果は、論理演算器７８に入力され、この論理演算器７８からは、文字とイメージとの画像領域を分離するための分離タグが出力される。
【００５６】
また、上記適応処理部７３は、図８（ｃ）に示すように、画像データがそれぞれ入力される文字用フィルタ７９と写真用フィルタ８０とを備えており、これらの文字用ＭＴＦフィルタ７９と写真用ＭＴＦフィルタ８０では、画像データに対してそれぞれ文字用と写真用に適合したフィルタ処理が施される。そして、上記文字用フィルタ７９と写真用フィルタ８０によって、それぞれ文字用と写真用に適合したフィルタ処理が施された画像データは、選択器８１によって、像域分離処理部７２から出力される分離タグに基づいて選択される。上記選択器８１で選択された文字または写真の画像データは、文字用のＴＲＣ（Ｔｏｎｅ  Ｒｅｄｕｃｔｉｏｎ  Ｃｕｒｖｅ）処理回路８２と、写真用のＴＲＣ（Ｔｏｎｅ  Ｒｅｄｕｃｔｉｏｎ  Ｃｕｒｖｅ）処理回路８３によって、画像の種類に応じて画像データを実際に形成される画像の濃度に良好に対応させるためのＴＲＣ処理が施される。その後、上記文字用ＴＲＣ処理回路８２と、写真用ＴＲＣ処理回路８３によってＴＲＣ処理が施された画像データは、選択器８４によって、像域分離処理部７２から出力される分離タグに基づいて選択され、適応処理が施された補正後の画像データが出力される。
【００５７】
以上の構成において、この実施の形態１に係る画像処理装置は、次のようにして、入力された画像データに対して変倍処理を施す機能を備えた画像処理装置において、倍率を変化させた場合に、急激に画質が変化するのを防止することが可能となっている。
【００５８】
すなわち、この実施の形態１に係る画像処理装置６０では、図８（ａ）に示すように、像域分離部７２によって、入力された画像データを設定された分離係数で画像領域を分離するとともに、選択手段によって、前記画像領域分離手段の分離結果に応じて、文字用ＭＴＦフィルタ７９と写真用ＭＴＦフィルタ８０とを選択する際に、これらの像域分離処理及びＭＴＦフィルタの選択処理を行う際に使用する係数ｃ４、ｃ５を、係数算出部６８によって補正することができ、画像領域分離処理及びＭＴＦフィルタの選択処理を行って、高画質化を図った場合でも、倍率を変化させた場合に、急激に画質が変化するのを防止することが可能となる。
【００５９】
更に、この実施の形態１に係る画像処理装置６０では、参考実施の形態１と同様に、係数算出部６８が、複数の倍率に対応した係数を記憶する記憶手段としてのテーブルと、前記指定された倍率に応じて前記テーブルに記憶された係数のうちから所定の係数を選択し、選択した係数を用いて補間することにより、画像領域分離処理及びＭＴＦフィルタの選択処理を行う際の係数を補正する補間手段とを具備するように構成されているので、入力された画像データに対して変倍処理を施す機能を備えた画像処理装置において、倍率を変化させた場合に、急激に画質が変化するのを防止することが可能となっている。
【００６０】
実施の形態３
図９はこの発明の実施の形態２を示すものであり、前記参考実施の形態１と同一の部分には同一の符号を付して説明すると、この実施の形態２は、補間手段が、縦横で異なる倍率が指定されたときに、前記縦横の各倍率に応じて前記記憶手段に記憶された係数のうちから所定の係数を選択し、選択した係数を用いて補間することにより縦横の各係数を得た後、得られた縦倍率用係数と横倍率用係数とを補間して係数を補正するように構成されている。
【００６１】
すなわち、この実施の形態２に係る画像処理装置６０では、図１（ａ）に示すように、フィルタリング処理回路６３が、画像データに対してＭＴＦフィルタリング処理を施すフィルタ処理部６７を備えており、このフィルタ処理部６７には、係数補正手段としての係数算出部６８から図示しないユーザーインターフェイスで指定された倍率に応じて、補正された算出係数ｃが入力されるようになっている。上記係数算出部６８は、図１０に示すように、例えば、５０％、１００％、１５０％、２００％の４つの縦方向及び横方向の固定倍率に対応して、これらの倍率に応じて画像データに最低なＭＴＦフィルタリング処理を施すための係数ａ１、ａ２、ａ３、ａ４とｂ１、ｂ２、ｂ３、ｂ４とを記憶した記憶手段として、図８の表２及び表３に示すようなテーブルを用意してある（ステップ１）。そして、この係数算出部６８では、デジタル複写機のユーザーインターフェイスで指定された縦方向の倍率に対し、図９に示す表２を参照して、対応する縦方向の倍率値を選択する。いま、縦方向の指定倍率が１２０％の場合には、指定倍率に最も近く且つ指定倍率と比較し大きい固定倍率である１５０％と、指定倍率に最も近く且つ指定倍率と比較し小さい固定倍率である１００％との計２個の固定倍率が縦方向の倍率として選択される（ステップ２）。次に、上記の如く選択された１００％と１５０％の２つの倍率値に対応する係数が、以下の如く選択される（ステップ３）。
１００％＝ａ２
１５０％＝ａ３
その後、上記のように選択された２個の係数から、次のようにして補間値ｃ１が算出される（ステップ４）。
ｃ１＝｛（１５０−１２０）×ａ２＋（１２０−１００）×ａ３｝
／（１５０−１００）
＝（３×ａ２＋２×ａ３）／５
【００６２】
次に、この係数算出部６８は、デジタル複写機のユーザーインターフェイスで指定された横方向の倍率に対し、図９に示す表３を参照して、対応する横方向の倍率値を選択する。いま、横方向の指定倍率が６０％の場合には、指定倍率に最も近く且つ指定倍率と比較し大きい固定倍率である１００％と、指定倍率に最も近く且つ指定倍率と比較し小さい固定倍率である５０％との計２個の固定倍率が横方向の倍率として選択される（ステップ５）。次に、上記の如く選択された５０％と１００％の２つの倍率値に対応する係数が、以下の如く選択される（ステップ６）。
５０％＝ｂ１
１００％＝ｂ２
その後、上記のように選択された２個の係数から、次のようにして補間値ｃ２が算出される（ステップ７）。
ｃ２＝｛（１００−６０）×ｂ１＋（６０−５０）×ｂ２｝
／（１００−５０）
＝（４×ｂ１＋１×ｂ２）／５
さらに、上記係数算出部６８では、上記の如く求めた補間値ｃ１、ｃ２から全体の補間値ｃ３を上述した補間方法により算出して、これを算出補間値ｃとして、フィルタ処理部６７に出力するようになっている（ステップ８）。
【００６３】
このように、この実施の形態２に係る画像処理装置６０では、図９及び図１０に示すように、縦横で異なる倍率が指定されたときに、前記縦横の各倍率に応じて図９の表２及び表３に示すように、テーブルに記憶された係数のうちから所定の係数を選択し、選択した係数を用いて補間することにより縦横の各係数を得た後、得られた縦倍率用係数と横倍率用係数とを補間手段によって補間して係数を補正することができるため、縦方向と横方向とで倍率を異ならせた変倍処理が可能な画像処理装置６０においても、倍率を変化させた場合に、急激に画質が変化するのを防止することが可能となる。
【００６４】
その結果、このような画像処理装置６０においては、図１１に示すように、例えば、縦方向や横方向の直線からなる原画に対して、１２０％拡大、１６０％拡大、縦１２０％拡大＋横１６０％拡大等の変倍処理を施す際に、画像データを拡大する際に、画像データを補間したり、注目画素の周囲の白色画素等を考慮して、所定のフィルタ処理を施しても、１２０％拡大や１６０％拡大等の画像は勿論のこと、縦１２０％拡大＋横１６０％拡大等のように縦横変倍処理を行った場合において、線幅が拡大倍率に応じて広がっても、画像濃度が原画と同等になり、縦横の変倍処理に伴って画像濃度が変化せず、画質が劣化するのを防止して、常に良好な画質の画像を得ることができる。
なお、上記縦横偏倍に応じた係数の補正は、フィルタ係数の補正のみではなく、画像領域分離手段における画像領域の分離を行う際の分離係数の補正にも同様に適用できることは勿論である。
【００６５】
実施の形態３
図１２はこの発明の実施の形態３を示すものであり、前記参考実施の形態１と同一の部分には同一の符号を付して説明すると、この実施の形態３は、入力される画像データが白黒ではなく、カラーの画像処理装置に適用するように構成されている。
【００６６】
図１３はこの発明に係る画像処理装置の実施の形態３を適用した多重転写方式のディジタルカラー複写機を示す構成図である。
【００６７】
図１３において、１００はデジタルカラー複写機の本体を示すものであり、このデジタルカラー複写機本体１００内の上端部には、原稿１０２の画像を読み取る画像入力装置１０３（Ｉｍａｇｅ  Ｉｎｐｕｔ  Ｔｅｒｍｉｎａｌ）が配置されている。この画像入力装置１０３は、プラテンガラス１０４上に載置された原稿１０２をプラテンカバー１０５によって押圧した状態で、このプラテンガラス１０４上に載置された原稿１０２の画像を光源１０６によって照明するとともに、原稿１０２の反射光像を第１、第２の走査ミラー１０７、１０８及び結像レンズ１０９を介してＣＣＤ１１０に走査露光して、このＣＣＤ１１０によって原稿１０２の色材反射光像を所定のドット密度（例えば、１６ドット／ｍｍ）で読み取るようになっている。
【００６８】
上記画像入力装置１０３によって読み取られた原稿１０２の色材反射光像は、例えば、赤（Ｒ）、緑（Ｇ）、青（Ｂ）（各８ｂｉｔ）の３色の原稿反射率データとして画像処理装置１１２（Ｉｍａｇｅ  Ｐｒｏｃｅｓｓｉｎｇ  Ｓｙｓｔｅｍ）に送られ、この画像処理装置１１２では、後述するように、原稿１０２の反射率データに対して、濃度補正、拡大／縮小補正、フィルタ処理等の所定の画像処理が施される。
【００６９】
そして、上記の如く画像処理装置１１２で所定の画像処理が施された画像データは、黒（Ｋ）、イエロー（Ｙ）、マゼンタ（Ｍ）、シアン（Ｃ）（各８ｂｉｔ）の３色の原稿色材階調データに変換されてＲＯＳ１１５（Ｒａｓｔｅｒ  Ｏｕｔｐｕｔ  Ｓｃａｎｎｅｒ）に送られ、このＲＯＳ１１５では、原稿色材階調データに応じてレーザー光による画像露光が行われる。
【００７０】
上記ＲＯＳ１１５は、図１３に示すように、半導体レーザー１１６を原稿色材階調データに応じて変調して、この半導体レーザー１１６からレーザー光ＬＢを階調データに応じて出射する。この半導体レーザー１１６から出射されたレーザー光ＬＢは、回転多面鏡１１７によって偏向走査され、反射ミラー１１８を介して感光体ドラム１２０上に走査露光される。
【００７１】
上記ＲＯＳ１１５によってレーザー光ＬＢが走査露光される感光体ドラム１２０は、図示しない駆動手段によって矢印方向に沿って所定の速度で回転駆動されるようになっている。この感光体ドラム１２０の表面は、予め帯電コロトロン１２１によって所定の電位に帯電された後、原稿色材階調データに応じてレーザー光ＬＢが走査露光されることによって静電潜像が形成される。上記感光体ドラム１２０上に形成された静電潜像は、黒（Ｋ）、イエロー（Ｙ）、マゼンタ（Ｍ）、シアン（Ｃ）の４色の現像器１２２Ｋ、１２２Ｙ、１２２Ｍ、１２２Ｃを備えたロータリー方式の現像装置１２２によって順次現像され、所定の色のトナー像となる。
【００７２】
上記感光体ドラム１２０上に形成されたトナー像は、当該感光体ドラム１２０に隣接して配置された転写ドラム１２３上に保持された転写用紙等からなる転写材１２４上に、転写コロトロン１２５の帯電によって順次転写される。上記転写材１２４は、図１３に示すように、複写機本体１００内の下部に収納された複数の給紙カセット１２８、１２９、１３０の何れかから給紙ロール１３１によって給紙されるか、又は複写機本体１００外の側面に配置された手差しトレイ１３８からも給紙可能となっており、給紙された転写材１２４は、搬送ローラ１３２及びレジストローラ１３３によって転写ドラム１２３の表面に所定のタイミングでそれぞれ搬送される。そして、上記転写材１２４は、静電吸着用の帯電器も兼ねる転写コロトロン１２５の帯電によって転写ドラム１２３の表面に静電的に吸着された状態で、当該転写ドラム１２３の表面に保持される。なお、上記手差しトレイ１３８からは、ハガキ等の定形外の転写用紙以外にオーバーヘッドプロジェクター用の透明なＯＨＰシート等も給紙可能であり、ＯＨＰシート等にも画像を形成することができるようになっている。また、上記手差しトレイ１３８からは、片面に画像が形成された転写材２４を裏返しにして給紙することにより、両面コピーが可能となっている。
【００７３】
また、上記感光体ドラム１２０上から所定の色数のトナー像が転写された転写材１２４は、剥離用のコロトロン１３４の除電によって転写ドラム１２３の表面から剥離された後、定着装置１３５へ搬送され、この定着装置１３５によって熱及び圧力によってトナー像が転写材１２４上に定着され、排紙トレイ１３６上に排出されてカラー画像の形成工程が終了する。
【００７４】
なお、図１３中、１３７は転写ドラム１２３の除電を行うための除電コロトロン対を示している。
【００７５】
図１４は上記多重転写方式のデジタルカラー複写機の画像出力装置を示す構成図である。
【００７６】
図１４において、１２０は上記感光体ドラムであり、この感光体ドラム１２０の表面に接触又は微小な間隙を介して対向するように転写材担持体としての転写ドラム１２３が配設されている。上記転写ドラム１２３は、図示しない駆動機構によって感光体ドラム１２０の周速と同一の速度で回転駆動されるようになっている。この転写ドラム１２３は、図１５に示すように、軸方向の両端部に配置される一対の円環状部材としてのリング部材１４０、１４０と、これらのリング部材１４０、１４０を互いに連結する連結部材としてのタイバープレート１４１とを有するドラム状の枠体を備え、上記タイバープレート１４１にポリエチレンテレフタレートやポリフッ化ビニリデン等の誘電体フィルムからなる転写フィルム１４２の円周方向の先端縁部４２ａを固定するとともに、両側端部をリング部材１４０、１４０の外周面に沿わせて枠体に巻き付け、転写フィルム１４２の円周方向の後端縁部１４２ｂを、タイバープレート１４１に固定して中空円筒状に形成されている。
【００７７】
上記転写ドラム１２３には、上述したように、複数の給紙カセット１２８、１２９、１３０の何れかから転写材１２４が供給され、この転写材１２４は、転写ドラム１２３の裏面側から吸着用の帯電器を兼ねる転写コロトロン１２５によって帯電を受け、転写ドラム１２３の転写フィルム１４２上に静電的に吸着される。この転写ドラム１２３上に吸着された転写材１２４には、感光体ドラム１２０上に順次形成される黒（Ｋ）、イエロー（Ｙ）、マゼンタ（Ｍ）、シアン（Ｃ）のトナー像が、転写コロトロン１２５の帯電によって転写される。
【００７８】
そして、上記感光体ドラム１２０から所定の色数のトナー像が転写された転写材１２４は、剥離コロトロン１３４によって除電されるとともに、剥離装置１４４によって転写ドラム１２３の表面から剥離された後、搬送ガイド１４５を介して定着装置１３５に搬送されて、この定着装置１３５の定着ローラ１３５ａ及び圧力ローラ１３５ｂによってトナー像が熱及び圧力により転写材１２４上に定着され、フューザ出口ロール１４６によって装置外部の排紙トレイ１３６上に排出される。
【００７９】
ところで、この実施の形態３に係る画像処理装置は、少なくとも指定された倍率が、複数の倍率区分の境界近傍の値である場合に、前記画像処理に使用する係数を、当該指定倍率及び画像データの色に応じて補正する係数補正手段を具備するように構成されている。
【００８０】
また、この実施の形態３に係る画像処理装置は、前記係数補正手段が、複数の倍率に対応した係数を記憶する記憶手段と、前記指定された倍率に応じて前記記録手段に記憶された係数のうちから所定の係数を選択し、選択した係数を用いて補間することにより、係数を補正する補間手段を具備するように構成されている。
【００８１】
すなわち、この実施の形態３に係る画像処理装置６０には、図１２に示すように、画像入力装置１０３のＣＣＤ１１０によって読み取られ、Ａ／Ｄ変換器１１０ａによってデジタル信号に変換された原稿１０４のＲＢＧの画像データが入力される。この画像入力装置１０３から出力される画像データは、第１の濃度補正（γ補正）処理回路１５１によって濃度補正が施された後、拡大／縮小処理回路１５２によって図示しないユーザーインターフェイスで指定された倍率に応じて、拡大／縮小処理が施される。上記拡大／縮小処理回路１５２で拡大／縮小処理が施された画像データは、色変換処理回路１５３によってＲＢＧの画像データが、ＹＭＣの画像データに変換される。次に、上記色変換処理回路１５３によって変換されたＹＭＣの画像データは、Ｋ版生成処理回路１５４によって、Ｋ（黒色）の画像データが生成され、ＹＭＣＫの画像データに変換される。そして、上記Ｋ版生成処理回路１５４によって生成されたＹＭＣＫの画像データは、フィルタリング処理回路１５５によってＭＴＦフィルタリング処理が施されるとともに、第２の濃度補正（γ補正）処理回路１５６によって濃度補正が施される。その後、この濃度補正が施された画像データは、スクリーニング処理回路１５７によって万線スクリーンや網点等のスクリーニング処理が施される。そして、上記スクリーニング処理回路１５７によってスクリーニング処理が施された画像データは、画像出力装置に出力され、当該画像出力装置によってカラーの画像出力動作が行われる。
【００８２】
その際、上記画像処理装置６０では、図１２に示すように、拡大／縮小処理回路１５２によって拡大／縮小処理が施された画像データに基づいて、像域分離処理回路１５８によって文字と写真等のイメージとに画像領域が分離され、この像域分離処理回路１５８からは、文字とイメージの像域分離処理信号が、フィルタリング処理回路１５５と、第２の濃度補正（γ補正）処理回路１５６と、スクリーニング処理回路１５７と、画像出力装置に出力される。
【００８３】
また、この実施の形態３に係る画像処理装置のフィルタリング処理回路１５５は、図示しないユーザーインターフェイスで指定された倍率に応じて、係数算出部において、ＹＭＣＫの４色の画像データに対して、補正された算出係数ｃを算出するようになっている。
【００８４】
【発明の効果】
以上説明したように、請求項１に記載の発明によれば、前記第１の演算手段によって倍率に応じてフィルタ係数を演算することにより、倍率を変更した場合に、使用する係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができる。
【００８５】
また、請求項１に記載の発明によれば、第１の演算手段の補間手段が、倍率に応じて前記記録手段に記憶されたフィルタ係数から所定のフィルタ係数を選択し、選択したフィルタ係数を用いて補間してフィルタ係数を得る。そのため、記憶手段に記憶された複数の倍率が指定された場合には、記憶手段に記憶された当該倍率に対応したフィルタ係数をそのまま使用し、記憶手段に記憶された複数の倍率と異なる倍率が指定された場合には、前記指定された倍率に応じて前記記録手段に記憶されたフィルタ係数のうちから所定のフィルタ係数を選択し、選択したフィルタ係数を用いて補間手段によって補間することにより、フィルタ係数を補正することができる。したがって、記憶手段に記憶する複数の倍率とこれに対応したフィルタ係数を多く設定した場合には、記憶手段を参照するだけで、ほとんどの場合、フィルタ係数を直ちに補正するとができ、フィルタ係数の補正を短時間に行うことができる。一方、記憶手段に記憶する複数の倍率とこれに対応したフィルタ係数を少なく設定した場合には、指定された倍率に応じて記録手段に記憶されたフィルタ係数のうちから所定の係数を選択し、選択したフィルタ係数を用いて補間手段によって補間することにより、フィルタ係数を補正することができ、記憶手段の容量を少なくすることが可能となる。
【００８６】
請求項１に記載の発明によれば、縦横で異なる倍率が指定されたときに、前記縦横の各倍率に応じて記憶手段に記憶されたフィルタ係数のうちから所定のフィルタ係数を選択し、選択したフィルタ係数を用いて補間することにより縦横の各フィルタ係数を得た後、得られた縦倍率用フィルタ係数と横倍率用フィルタ係数とを補間手段によって補間してフィルタ係数を得ることができるため、縦方向と横方向とで倍率を異ならせた偏倍処理が可能な画像処理装置においても、倍率を変化させた場合に、急激に画質が変化するのを防止することが可能となる。
【００８７】
請求項２に記載の発明によれば、画像領域分離手段によって、入力された画像データを設定された分離係数で画像領域を分離するとともに、選択手段によって、前記画像領域分離手段の分離結果に応じて変調伝達関数フィルタの種類を選択する際に、この画像領域分離処理の選択処理を行う際に使用する分離係数を、第２の演算手段によって求めることができ、画像領域分離処理の選択処理を行って、高画質化を図った場合でも、倍率を変化させた場合に、分離係数を第２の演算手段によって演算することにより、倍率に適合した画像領域の分離を行うことができ、変倍によって分離される画像領域が、例えば文字領域側あるいはイメージ領域側に不本意に変動することがないので、急激に画質が変化するのを防止することが可能となる。
また、かかる請求項２に記載の発明によれば、請求項１に記載の発明と同様に、前記第１の演算手段によって倍率に応じてフィルタ係数を演算することにより、倍率を変更した場合に、使用するフィルタ係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができ、請求項１項の特徴と相まって一層良好な画質の画像を得ることができる。
【００８８】
請求項３に記載の発明によれば、請求項２に記載の発明において得られる作用と同様の作用が得られることは勿論のこと、前記第２の演算手段が、複数の倍率に対応した分離係数を記憶する記憶手段と、前記倍率に応じて前記記録手段に記憶された分離係数のうちから所定の係数を選択し、選択した分離係数を補間して分離係数を得るものであるため、記憶手段に記憶された複数の倍率が指定された場合には、記憶手段に記憶された当該倍率に対応した分離係数をそのまま使用し、記憶手段に記憶された複数の倍率と異なる倍率が指定された場合には、前記指定された倍率に応じて前記記録手段に記憶された分離係数のうちから所定の分離係数を選択し、選択した分離係数を用いて補間手段によって補間することにより、分離係数を補正することができる。したがって、記憶手段に記憶する複数の倍率とこれに対応した分離係数を多く設定した場合には、記憶手段を参照するだけで、ほとんどの場合、分離係数を直ちに補正するとができ、分離係数の補正を短時間に行うことができる。一方、記憶手段に記憶する複数の倍率とこれに対応した分離係数を少なく設定した場合には、指定された倍率に応じて記録手段に記憶された分離係数のうちから所定の分離係数を選択し、選択した分離係数を用いて補間手段によって補間することにより、分離係数を補正することができ、記憶手段の容量を少なくすることが可能となる。
【００８９】
請求項４に記載の発明によれば、請求項３に記載の発明において得られる作用と同様の作用が得られる上に、請求項１に記載の発明と同様に、縦方向と横方向とで倍率を異ならせた偏倍処理が可能な画像処理装置においても、倍率を変化させた場合に、急激に画質が変化するのを防止することが可能となる。
【００９０】
請求項５によれば、少なくとも指定された倍率が、複数の倍率区分の境界近傍の値である場合に、前記画像処理に使用する係数を、当該指定倍率に応じて係数補正手段によって補正することにより、倍率を微小に変更した場合に、その前後の指定倍率が異なる区分に属する場合であっても、使用する係数が大きく変化することがないように設定することができ、連続的に所定の画像処理を施すことができるので、変倍処理される画像の画質が急激に変化し、画質が低下するのを確実に防止することができ、変倍処理を施した場合であっても、常に良好な画質の画像を得ることができる。
【図面の簡単な説明】
【図１】図１（ａ）はこの発明の参考実施の形態１に係る画像処理装置を示すブロック図、同図（ｂ）はフィルタ処理部を示すブロック図、同図（ｃ）はフィルタ処理部を示すブロック図である。
【図２】図２はこの発明の参考実施の形態１に係る画像処理装置を適用した白黒のディジタル複写機画像形成装置を示す構成図である。
【図３】図３はこの発明の参考実施の形態１に係る画像処理装置を適用した画像入力装置を示す構成図である。
【図４】図４はこの発明の参考実施の形態１に係る画像処理装置を示すブロック図である。
【図５】図５は指定倍率に応じた係数を記憶したテーブルを示す図である。
【図６】図６は指定倍率に応じた係数の補正処理を示すフローチャートである。
【図７】図７は指定倍率に応じた係数の補正処理後の画像を示す模式図である。
【図８】図８（ａ）はこの発明の実施の形態１に係る画像処理装置を示すブロック図、同図（ｂ）は像域分離部を示すブロック図、同図（ｃ）は適応処理部を示すブロック図である。
【図９】図９はこの発明の実施の形態２に係る画像処理装置の指定倍率に応じた係数を記憶したテーブルを示す図である。
【図１０】図１０は指定倍率に応じた係数の補正処理を示すフローチャートである。
【図１１】図１１は指定倍率に応じた係数の補正処理後の画像を示す模式図である。
【図１２】図１２はこの発明の実施の形態３に係る画像処理装置を示すブロック図である。
【図１３】図１３はこの発明の実施の形態３に係る画像処理装置を適用したカラーのディジタル複写機を示す構成図である。
【図１４】図１４はカラーのディジタル複写機の画像出力装置を示す構成図である。
【図１５】図１５は転写ドラムを示す斜視図である。
【図１６】図１６は指定倍率に応じた係数の画像を示す模式図である。
【図１７】図１７は演算によって求められた係数を示すグラフ図である。
【符号の説明】
６０：画像処理装置、６１：第１の濃度補正（γ補正）処理回路、６２：拡大／縮小処理回路、６３：フィルタリング処理回路、６４：第２の濃度補正（γ補正）処理回路、６５：スクリーニング処理回路、６６：像域分離処理回路、６７：フィルタ処理部、６８：係数算出部（係数補正手段）。
【図１】
0003692779.tif 000003
【図２】
0003692779.tif 000004
【図３】
0003692779.tif 000005
【図４】
0003692779.tif 000006
【図５】
0003692779.tif 000007
【図６】
0003692779.tif 000008
【図７】
0003692779.tif 000009
【図８】
0003692779.tif 000010
【図９】
0003692779.tif 000011
【図１０】
0003692779.tif 000012
【図１１】
0003692779.tif 000013
【図１２】
0003692779.tif 000014
【図１３】
0003692779.tif 000015
【図１４】
0003692779.tif 000016
【図１５】
0003692779.tif 000017
【図１６】
0003692779.tif 000018
【図１７】
0003692779.tif 000019